(57)【要約】【課題】金属製の放熱面の放熱性を阻害することなく指先の火傷なども確実に防止することができる情報処理装置を提供する。【解決手段】情報処理装置１００は、装置本体１１０の内部の発熱が外面に形成されている金属製の放熱面１１１から外部に放熱される。この放熱面１１１には表面から裏面まで多数の開口孔２１０が貫通されている平板状に樹脂で形成されている装置保護部材２００が外側から装着されている。このため、放熱面１１１は装置保護部材２００の開口孔２１０により良好に放熱される。ただし、装置保護部材２００の開口孔２１０は指先を挿入不能な形状に形成されている。このため、装置保護部材２００の開口孔２１０に指先が挿入されて火傷することを良好に防止できる。【選択図】図１
2011114110.tif 000002
【特許請求の範囲】
【請求項１】
内部の発熱を外部に放熱する金属製の放熱面が外面に形成されている装置本体と、
表面から裏面まで多数の開口孔が貫通されている平板状に樹脂で形成されていて前記放熱面に外側から装着されている装置保護部材と、を有し、
前記装置保護部材の前記開口孔は指先を挿入不能な形状に形成されている情報処理装置。
【請求項２】
前記装置保護部材の前記開口孔は、少なくとも相対する二辺が５ｍｍ以下の矩形に形成されている請求項１に記載の情報処理装置。
【請求項３】
前記装置保護部材の前記開口孔は、内径が５ｍｍ以下の円形に形成されている請求項１に記載の情報処理装置。
【請求項４】
前記装置保護部材は、最大内径が５ｍｍ以下の六角形に前記開口孔が形成されているハニカム形状に形成されている請求項１に記載の情報処理装置。
【請求項５】
前記装置保護部材は湾曲自在に形成されており、
前記装置本体の湾曲している前記放熱面に前記装置保護部材が同様に湾曲されて装着されている請求項１ないし４の何れか一項に記載の情報処理装置。
【請求項６】
情報処理装置の内部の発熱を外部に放熱する金属製の放熱面に外側から装着される装置保護部材であって、
表面から裏面まで多数の開口孔が貫通されている平板状に樹脂で形成されており、
前記開口孔は指先を挿入不能な形状に形成されている装置保護部材。
【発明の詳細な説明】
【技術分野】
【０００１】
本発明は、発熱する金属製の外面を有する情報処理装置、その発熱する外面を保護する装置保護部材、に関する。
【背景技術】
【０００２】
現在、情報処理装置は、処理速度の向上とともに発熱量の増大が課題となっている。そこで、内部の発熱を良好に外部に放熱するため、例えば、装置外面に金属製の放熱面を形成し、その放熱面から内部の発熱を外部に放熱する構造などが採用されている。
【０００３】
例えば、通信分野または情報処理分野などにおける電子装置に関し、自然空冷による効果的な冷却と、保守点検などを容易とする技術の提案がある。その技術は、電子回路基板を内面に密接せる主壁に連なる第１，第２，第３の側壁面を有する筐体ユニットと筐体ユニットの第１の側壁面と接触する取り付け面、第２，第３の側壁面と接する第１，第２の接触面を有する取り付け基台と筐体ユニットの第１の側壁面を取り付け基台の取り付け面に押圧接触させる取り付け手段とからなり、筐体ユニットの第１の側壁面から延びる第２の側壁面と第３の側壁面先端側の対向間および取り付け基台の取り付け面から延びる第１，第２の接触面の先端側開口の対向間が第１の側壁面側および取り付け面側の対向間よりも拡開されてなる(例えば、特許文献１参照)。
【０００４】
さらに、携帯電話用基地局装置に使用される密閉型通信機器において、内部発熱の放熱効率の向上および筐体の小型化を図る技術の提案もある。その技術では、絞り加工により筐体ケース前面外側の一部を突起させて中空状の渦巻状突起部を設けることにより、筐体ケースの内側にも必然的に突起が形成されて放熱面積を増加し、その分だけより多くの内部空気が筐体ケースに熱を伝導させて放熱することができる。さらに、ファンを回転させると、筐体ケース外面の渦巻状突起部の渦巻状通路を風が強制的に特定方向へ流れることにより筐体ケース外面が冷却され、通信機器本体の内部で発生した熱を効率よく放熱する(例えば、特許文献２参照)。
【０００５】
また、電子機器筐体構造に関し、電子機器の効率的な冷却を目的とする技術の提案もある。その電子機器筐体構造は、金属部材および樹脂部材を用いて構成された電子機器筐体構造において、相異なる少なくとも２方向に連続して設けられた複数の独立した開口部を有して樹脂材料からなる網目状体が、前記金属部材（筐体アルミ部）の表面の少なくとも一部に形成されて、または、相異なる少なくとも２方向に連続して設けられた複数の独立した樹脂材料からなる突起が、前記金属部材の表面の少なくとも一部に形成されて実現される。
【０００６】
この技術では、前記網目状体または前記突起が、エラストマーを含む樹脂材料を用いて成形されたもの、前記網目状体または前記突起が、前記金属部材に対して鋭角で交わる断面形状を有するもの、および、前記網目状体が、前記金属部材に接触する面と異なる面に小突起を有するものを含む（例えば、特許文献３参照）。
【先行技術文献】
【特許文献】
【０００７】
【特許文献１】特開平０９−２２３８８０号公報
【特許文献２】特開平１１−１２１９５６号公報
【特許文献３】特開平１１−２０４９４９号公報
【発明の概要】
【発明が解決しようとする課題】
【０００８】
前述のように装置外面に金属製の放熱面を形成した情報処理装置では、その放熱面から内部の発熱を外部に放熱することができる。しかし、当然ながら、このような放熱面は外部に露出しているので、例えば、作業者の指先などが接触して火傷が発生することがある。
【０００９】
特許文献３の技術では、電子機器の金属表面に樹脂材料からなる網目状体を配置している。しかし、その開口孔に指先が挿入されると、やはり指先の先端などに火傷が発生することになる。
【００１０】
本発明は上述のような課題に鑑みてなされたものであり、金属製の放熱面の放熱性を阻害することなく指先の火傷なども確実に防止することができる情報処理装置を提供するものである。
【課題を解決するための手段】
【００１１】
本発明の情報処理装置は、内部の発熱を外部に放熱する金属製の放熱面が外面に形成されている装置本体と、表面から裏面まで多数の開口孔が貫通されている平板状に樹脂で形成されていて放熱面に外側から装着されている装置保護部材と、を有し、装置保護部材の開口孔は指先を挿入不能な形状に形成されている。
【００１２】
本発明の装置保護部材は、情報処理装置の内部の発熱を外部に放熱する金属製の放熱面に外側から装着される装置保護部材であって、表面から裏面まで多数の開口孔が貫通されている平板状に樹脂で形成されており、開口孔は指先を挿入不能な形状に形成されている。
【発明の効果】
【００１３】
本発明の情報処理装置では、装置本体の内部の発熱が外面に形成されている金属製の放熱面から外部に放熱される。この放熱面には表面から裏面まで多数の開口孔が貫通されている平板状に樹脂で形成されている装置保護部材が外側から装着されている。このため、放熱面は装置保護部材の開口孔により良好に放熱される。ただし、装置保護部材の開口孔は指先を挿入不能な形状に形成されている。このため、装置保護部材の開口孔に指先が挿入されて火傷することを良好に防止できる。
【図面の簡単な説明】
【００１４】
【図１】本発明の実施の形態の情報処理装置の外観を示す模式的な三面図である。
【図２】装置保護部材の外観を示す模式的な三面図である。
【図３】装置保護部材を放熱面に装着する状態を示す模式図である。
【図４】一の変形例の装置保護部材を放熱面に装着する構造を示す模式図である。
【図５】他の変形例の装置保護部材を放熱面に装着する構造を示す模式図である。
【発明を実施するための形態】
【００１５】
本発明の実施の一形態を図面を参照して以下に説明する。本実施の形態の情報処理装置１００は、図１に示すように、内部の発熱を外部に放熱する金属製の放熱面１１１が外面に形成されている装置本体１１０と、表面から裏面まで多数の開口孔２１０が貫通されている平板状に樹脂で形成されていて放熱面１１１に外側から装着されている装置保護部材２００と、を有する。
【００１６】
ただし、装置保護部材２００の開口孔２１０は指先を挿入不能な形状(サイズ)に形成されている。より具体的には、図２に示すように、装置保護部材２００は格子形状に形成されており、その開口孔２１０が５ｍｍ×５ｍｍの矩形に形成されている。
【００１７】
より具体的には、本実施の形態の情報処理装置１００は、例えば、いわゆる携帯電話端末の無線通信の中継基地局として利用される。一般的に、このような中継基地局は閉鎖空間に密閉されているが、開放された位置に設置されるものもある。
【００１８】
本実施の形態の情報処理装置１００も開放された位置に設置されることを想定しているので、作業者などが指先を接触させる可能性がある(図示せず)。情報処理装置１００は、図１に示すように、前面と後面とにラジエタ１１２が形成されており、このラジエタ１１２で内部の発熱を外部に放熱する。
【００１９】
このようなラジエタ１１２は高温となるが、そのことは一般常識であり、一目でラジエタ１１２と分かるので、作業者が指先を接触させる可能性は低い。一方、情報処理装置１００の上面も放熱面１１１として、例えば、８０℃などの高温となる。しかし、そのことは一般に知られておらず、目視しても分からないため、作業者が指先を接触させる可能性が高い。
【００２０】
そこで、本実施の形態の情報処理装置１００では、図３に示すように、平板状の装置保護部材２００が、装置本体１１０の平面からなる放熱面１１１に、例えば、接着などで固定されている。
【００２１】
本実施の形態の情報処理装置１００では、装置本体１１０の内部の発熱が外面に形成されている金属製の放熱面１１１からも外部に放熱される。この放熱面１１１には表面から裏面まで多数の開口孔２１０が貫通されている平板状に樹脂で形成されている装置保護部材２００が外側から装着されている。このため、放熱面１１１は装置保護部材２００の開口孔２１０により良好に放熱される。
【００２２】
ただし、装置保護部材２００の開口孔２１０は指先を挿入不能な形状に形成されている。このため、装置保護部材２００の開口孔２１０に指先が挿入されて火傷することを良好に防止できる。
【００２３】
より具体的には、前述のように情報処理装置１００の上面からなる放熱面１１１は８０℃などの高温となるが、装置保護部材２００の表面温度は７０℃程度となる。このような装置保護部材２００は、必要な耐熱性と熱伝導性と耐候性とを満足する各種の材料を利用することができ、例えば、本実施の形態ではポリカーボネートで形成されている。
【００２４】
特に、装置保護部材２００は、５ｍｍ以上２０ｍｍ以下の板厚に形成することができ、例えば、本実施の形態では５ｍｍの板厚に形成されている。そこに開口孔２１０が、少なくとも相対する二辺が５ｍｍ以下の矩形として、５ｍｍ×５ｍｍの矩形に形成されている。このため、放熱面１１１の放熱を良好に維持しながら、指先が開口孔２１０に挿入されて放熱面１１１に接触することを確実に防止することができる。
【００２５】
なお、本発明は本実施の形態に限定されるものではなく、その要旨を逸脱しない範囲で各種の変形を許容する。例えば、上記形態では平板状の装置保護部材２００が、装置本体１１０の平面からなる放熱面１１１に接着で固定されていることを例示した。
【００２６】
しかし、図４に示すように、装置保護部材２００が装置本体１１０の放熱面１１１に、クランク状の断面形状の金具１２０などで装着されていてもよい。また、装置保護部材２００が湾曲自在に形成されており、図５に示すように、装置本体１１０の湾曲している放熱面１１１に装置保護部材２００が同様に湾曲されて装着されていてもよい。
【００２７】
さらに、上記形態では装置保護部材２００が、５ｍｍ×５ｍｍの矩形の開口孔２１０が形成されている格子状に形成されていることを例示した。しかし、このような開口孔が、５ｍｍ以下の内幅のスリット状に形成されていてもよく、内径５ｍｍ以下の円形に形成されていてもよい(図示せず)。
【００２８】
また、上述のような装置保護部材が、最大内径が５ｍｍ以下の六角形の開口孔が形成されているハニカム形状に形成されていてもよい(図示せず)。この場合、全体的に開口孔の占有面積を増大させることができるので、指先の火傷を確実に防止しながら情報処理装置１００の放熱性を向上させることができる。
【００２９】
さらに、このようなハニカム構造の装置保護部材は柔軟に形成することが容易なので、前述のように湾曲させて装置本体１１０の湾曲している放熱面１１１に装着することも容易である。
【００３０】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００３１】
１００    情報処理装置
１１０    装置本体
１１１    放熱面
１１２    ラジエタ
１２０    金具
２００    装置保護部材
２１０    開口孔
【図１】
2011114110.tif 000003
【図２】
2011114110.tif 000004
【図３】
2011114110.tif 000005
【図４】
2011114110.tif 000006
【図５】
2011114110.tif 000007